(57)【要約】      （修正有）【課題】既設の燃焼用の空気取入口に取り付けて燃焼効率を高めるための器具を提供する。【解決手段】取り付け口から順に、断面が、台形状、長方形状、ラッパ状の管からなり、長方形状の部分にはアルファ線発生物が取り付けられ、ラッパ状の先端部には、セーフティーネット用のネットが取り付けられている。また断面が台形状の部分には、ネット状金属に、アルファ線を発生するものをコーティングして焼き付けたアルファ線発生物を１枚、あるいは２枚以上、取り付けられ、断面が長方形状の部分とそれにつながる台形状の部分には、幅広プレートを設置してアルファ線発生物を支えている。【選択図】図１
0003209835.tif 000002
【実用新案登録請求の範囲】
【請求項１】
既設の燃焼用の空気取入口に取り付けられるもので、その取り付け口から順に、その断面が、台形状、長方形状、そしてラッパ状の管からなり、長方形状の分にはアルファ線発生物が取り付けられ、ラッパ状の先端部には、セーフティーネット用のネットが取り付けられているものであることを特徴とする燃焼効率を高めるための器具。
【請求項２】
請求項１において、断面が台形状の部分には、ネット状金属に、アルファ線を発生するものをコーティングして焼き付けたアルファ線発生物を１枚、あるいは２枚以上、取り付けられているものであることを特徴とする燃焼効率を高めるための器具。
【請求項３】
請求項１において、断面が長方形状の部分とそれにつながる台形状の部分に、幅広プレートを設置してアルファ線発生物を支えていることを特徴とする燃焼効率を高めるための器具。
【考案の詳細な説明】
【技術分野】
【０００１】
本考案は、燃焼装置の空気取込み口に取り付けて燃焼効率を高め、ＰＭ、ＮＯｘなどの有害ガス成分の低減も可能にすることのできる器具に関する。
【背景技術】
【０００２】
今日のエネルギー・環境の問題への対応を考える場合の着眼点の１つは、反応をできるだけ平衡に近い状態まで進め、非平衡の状態で発生する未酸化物や過酸化物の発生量を少なくすることである。例えば、高温で酸化反応を進め、可燃物をできるだけ完全燃焼に近い状態まで酸化させて未燃物を少なくして発生エネルギーを大きくし、一方、その排ガスを大気に排出する前に、排出場所での温度（以下、中温と呼ぶ）で決まる平衡にできるだけ近い状態まで反応を進めることによって有害成分の含有量を減らすことによって、環境問題を抑制することが望まれる。しかし、実際には燃焼時には不完全燃焼物が残り、一方、廃ガスの排出時には、その温度での過酸化物が残存するという状態になりやすく、エネルギー・環境問題につながっている。すなわち、不完全燃焼物や過酸化物の発生が大気汚染などの環境問題に、また、エネルギー利用効率の低下につながるからである。この問題を解決するための方策の１つは、燃焼反応に関係する分子や原子を活性化して反応を進めるようにすることである。特許文献１〜４にアルファ線照射を用いる方法、および環境・エネルギー問題解決に向けてのその利用法が示されている。なお、特許文献２〜４は、本発明者らによるものである。
【先行技術文献】
【特許文献】
【０００３】
【特許文献１】特許4938508号
【特許文献２】特願2015-180290
【特許文献３】特願2015-242191
【特許文献４】特願2016-098181
【考案の開示】
【考案が解決しようとする課題】
【０００４】
燃焼に用いる空気を活性化処理して燃焼反応を促進し、燃焼効率を高め、かつ有害成分の生成を抑えるための器具を得る。
【課題を解決するための手段】
【０００５】
その具体的器具の第１は、既設の燃焼装置の空気取入口に取り付けられるもので、その取り付け口の位置から順に、その断面が、台形状、長方形状、そしてラッパ状の管からなり、長方形状の部分にはアルファ線発生物が取り付けられ、ラッパ状の先端部には、セーフティーネット用のネットが取り付けられているものである。
【０００６】
その具体的器具の第２は、０００５において、断面が長方形状の部分には、ネット状金属に、アルファ線を発生するものをコーティングして焼き付けたアルファ線発生物が１枚、あるいは２枚以上、取り付けられているものである。
【０００７】
その具体的器具の第３は、０００５において、断面が長方形状の部分とそれにつながる台形状の部分に、幅広プレートを設置してアルファ線発生物を支えているものである。
【考案の効果】
【０００８】
本考案の器具を燃焼用空気の取入口に取り付けることによって、（１）燃焼装置へ送る空気を活性化し燃焼効率を上げて、CO2排出量を低減すること、（２）反応を完全燃焼に近付けることで、排ガス中のNＯx、HCなどの含有量を低減すること、（３）排気ガスからの臭気を低減することなどが可能になる。
【図面の簡単な説明】
【０００９】
；
【図１】燃焼用空気の取り込み口に、本考案の器具を取りつけた時の断面図（水平断面図および垂直断面図）を示す。
【図２】本考案におけてアルファ線発生部を取り付けた部分の断面図（１）と、本考案のアルファ線発生部の後部に取り付けて補強する幅広プレートの断面図（２）を示す。
【図３】本考案の最前段にセットとする、異物侵入防止のためのセーフティーネットの平面図を示す。
【考案を実施するための形態】
【００１０】
本考案の器具は、燃焼装置の既設の燃焼用空気の取り込み口に取り付けて、燃焼装置に供給する空気をアルファ線照射により活性化されたものとするとともに空気の流れを燃焼に適したものとすることである。そのためには、まず、供給された空気の流れを安定化することが必要である。そのためには、本考案の器具内を通過するガスの有効断面積が、既存の燃焼用空気の取り込み口の断面積より小さくならないことが必要である。そこで、本考案の器具は、図１に示すように、取り付け口１の位置から順に、その断面が、台形状、長方形状、そしてラッパ状の管からなるものとする。
【００１１】
まず、取り付け位置から最も離れたラッパ状の部分であるが、その先端には、吸引された空気の中に混入されるおそれがある異物を除くためのセーフティーネット４が取り付けられている（図３）。吸引された空気とともに、例えば、ごみ、虫、小鳥などが引き込まれて、アルファ線発生物の表面に付着すると、空気に対するアルファ線照射による活性化効果が阻害されて好ましくない。これを防止するためのセーフティーネットとしては、金属性の網、あるいはプラスチック製の網を用いることができる。なお、この部分をラッパ状にするのは、その内部に取り付けられるアルファ線発生物などの取り付け、取り外しなどの作業を行いやすくするとともに、取り込まれる空気の流れをスムースにするためである。なお、このネット部の本考案の器具への取り付けは、ポルトなどによって行なわれる。
【００１２】
ラッパ状の部分に続く断面が長方形状の円筒の部分には、ネット状やメッシュ状金属に、アルファ線を発生するものをコーティングして焼き付けたアルファ線発生物２が１枚、あるいは２枚以上、スペーサープレートを介して取り付けられている。アルファ線を照射するものとして本考案では、アルファ線以外のベータ線、ガンマ線などの発生量が許容限度以下のものを選んで使用する。具体的には、例えば、放射性物質は酸化トリウムを主とし、ラジウム、トリウム、アクチニウムなど酸化トリウム以外の放射性物資の含有量の合計がトリウムに対して１％以下にする。これはアルファ線以外の放射線である透過性の大きいベータ線やガンマ線の発生を抑制するためである。これを用いた成形物を作る方法は、例えばステンレス鋼製などの金網の表面に、酸化トリウムの粉末にシリカ、酸化カルシウムなどを含む無機媒溶材粉末を加えたもの混合して被覆し、４００℃以上、１０００℃以下に加熱保持して、酸化トリウムと無機溶剤の混合物を焼結させ、ステンレス網製の網目状のものの表面に固定することである。この場合に、成形物全体の平均組成としてトリウム分が０．２〜５％の範囲、とくに好ましくは、３〜５％の範囲にする。これによってアルファ線照射量が一定量以上（例えば、アルファ線用シンチレーション計数装置（Ａｌｏｋａ  ＴＤＳ−４５１型）により網より５ｍｍの距離での正味計数率が、９０〜１２０ｃｐｍ）であるが、一方、ベータ線、ガンマ線はバックグランドより、１５％以上多くならないようにすることができる（例えばβ、ガンマ線用シンチレーション式サーベイメータ（Ａｌｏｋａ  ＴＣＳ−１６１型）による測定値が０．０７±０．０１μ  Ｓｖ／ｈ以下；比較；自然計数率は０．０６±０．０１μＳｖ／ｈ）。
【００１３】
アルファ線発生部の最後部（既設の空気口１に近い側）には、図２（１）に断面図を示す幅広プレート３を取り付けて、アルファ線発生部のネットを補強する。この支えの部分の断面が台形になっているので、この支えの部分が安定しているという効果がある。なお、アルファ線発生部のネットが復数用いられる場合、図２（２）にプレートの右側の部分のみ（すなわち、断面が台形状のものを含まないもの）を、アルファ線発生部のネットの間に挟み込んで、補強することもできる。
【００１４】
この断面が長方形の部分と、既存の燃焼用空気の取り込み口をつなぐ部分は、断面が台形状にすることによって、もとからあった空気取り込み口（取り付け１）に、活性化された空気を安定した流れとして供給する。なお、既存の空気取込み口に本考案の装置の取り付けは、通常のボルトなどに行うことができる。
【００１５】
定期的な器具の点検などは、一番外側のネット部分４を外すことで、内部に取り付けられたものを引き出して行うことができる。
【実施例１】
【００１６】
石油を燃料としてスチーム（５０００ｍ3／ｈ）を製造するボイラーで、通常の燃焼法
をベースとして、比較として、次の３つの条件の処理を行った。なお、吹込みガスにアル
ファー線処理を行う場合には、空気を、酸化トリウム含有成形物（ステンレス鋼製の網の
表面に焼結、網の目；間隔４ｍｍ）３枚を３０ｍｍ間隔で固定した状態のものを通過させ
た。
・比較の処理条件；燃焼に用いた空気は特別の処理を施していない、また、燃焼後の排ガ
スには、特別な処理を施していない。
本発明の処理条件：燃焼に用いる空気に対して、アルファ線照射を行った。そして、排出ガスのＮＯX、ＣＯ，ＣmＨn（ｍは１以上、ｎは３以上の整数）の含有量
を調べた。
・排ガスの分析結果
比較の条件の場合；ＮＯX：８０〜２００ｐｐｍ、ＣＯ；３５０〜６００ｐｐｍ、Ｃｐ
Ｈｑ：１５０〜４２０ｐｍ
本発明の処理条件の場合：ＮＯX：３〜１２ｐｐｍ、ＣＯ；５５〜８５ｐｐｍ、ＣmＨ
n：８〜６８ｐｍ
本発明の方法で、排出ガスのＮＯX、ＣＯ、ＣmＨnの低減の効果が大きいこと認められた。
【産業上の利用可能性】
【００１７】
この器具は、燃焼装置に燃焼用の空気を吹き込むための管に取り付けて、燃焼用空気を活性化し、燃焼促進による燃焼効率の向上、排ガス中のＰＭ、ＮＯｘなどの有害ガス成分の低減のために用いることができる。
【符号の説明】
【００１８】
１．取り付け口
２．アルファ線発生物
３．幅広プレート
４．セーフティーネット
【図１】
0003209835.tif 000003
【図２】
0003209835.tif 000004
【図３】
0003209835.tif 000005